(57)【要約】  １以上の車輪に制動力を付与する、多数の車輪を有する自動車用ブレーキ制御システムは、車両の動きを検出するための検出手段と、意図する方向への車両の動きと連動する、１以上の選択可能の駆動ギアと、を備える。前記システムは、制動力を付与するためにブレーキを駆動するブレーキ駆動手段と、ブレーキ駆動手段を制御するブレーキ制御手段とを備え、ブレーキ制御手段は、選択された駆動ギアを検出し、駆動ギアが選択されると、ブレーキ駆動手段が制動力を付与することを保証することにより、選択された駆動ギアに連動する、意図する方向への動きとは反対方向に車両の動きを制限するように設けられている。
2013537144.tif 000002
【特許請求の範囲】
【請求項１】
１以上の車輪に制動力を付与するための、多数の車輪を有する自動車のためのブレーキ制御システムであって、車両の動きを検出するための検出手段と、車両の意図する方向への動きにそれぞれ連動する１以上の選択可能なギアと、制動力を付与するためにブレーキを駆動するブレーキ制御手段と、を備え、
前記ブレーキ制御手段は、選択された駆動ギアを検出し、制動力を付与することを保証することにより選択された駆動ギアに連動する、意図する方向への動きとは反対方向への車両の動きを制限するように設けられることを特徴とするブレーキ制御システム。
【請求項２】
前記ブレーキ制御手段は、車両がブレーキをかけられて停止するとき、ブレーキ駆動手段が、選択されたギアと連動する、意図する方向とは反対方向に車両が移動することを阻止する制動力の付与を保証するように設けられることを特徴とする請求項１に記載のブレーキ制御システム。
【請求項３】
前記ブレーキ制御手段は、車両がブレーキをかけられて停止した後、予め決められた制限時間の間、制動力を保証するように設けられることを特徴とする請求項２に記載のブレーキ制御システム。
【請求項４】
前記ブレーキ制御手段は、付与される駆動トルクが予め決められたレベル以下であれば、選択されたギアによって駆動トルクを検出し、予め決められた制限時間を延長するように設けられていることを特徴とする請求項３に記載のブレーキ制御システム。
【請求項５】
前記ブレーキ制御手段は、ハンドブレーキが使用されているとき、又は、ドアが開放されているとき、制動力を終了するように設けられていることを特徴とする請求項２に記載のブレーキ制御システム。
【請求項６】
前記ブレーキ制御手段は、車両が選択したギアと連動する、意図する方向の動きとは反対方向に、予め決められた制限速度を超える速度で移動するとき、制動力を付与することを保証するように設けられていることを特徴とする請求項１から５のいずれか１項に記載のブレーキ制御システム。
【請求項７】
前記ブレーキ制御手段は、車両が選択されたギアと連動する、意図する方向への動きとは反対方向に、予め決められた加速度で移動するとき、制動力を付与することを保証するように設けられていることを特徴とする請求項１から６のいずれか１項に記載のブレーキ制御システム。
【請求項８】
前記ブレーキ制御手段は、車両の傾斜を検出するように設けられ、速度制限又は加速度制限は、選択された傾斜と逆関係となるように、力学的に予め決められていることを特徴とする請求項６又は７に記載のブレーキ制御システム。
【請求項９】
前記ブレーキ制御手段は、選択されたギアによって駆動トルクを検出し、検出された駆動トルクが予め決められたレベルを超えるとき、ブレーキ駆動手段によって付与される制動力を解放するように設けられていることを特徴とする請求項１から８のいずれか１項に記載のブレーキ制御システム。
【請求項１０】
駆動及び非駆動状態を有することを特徴とする請求項１から９のいずれか１項に記載のブレーキ制御システム。
【請求項１１】
前記駆動状態は、車両の駆動エンジンの駆動状態から独立していることを特徴とする請求項１０に記載のブレーキ制御システム。
【請求項１２】
前記ブレーキ制御手段は、車両の傾きを検出し、ブレーキ駆動手段により、下り方向の車両の動きを制限するように制動力を付与するように設けられていることを特徴とする請求項１から１１のいずれか１項に記載のブレーキ制御システム。
【請求項１３】
意図する方向への車両の動きに連動する、選択された駆動ギアを検出し、ドライバーのブレーキ入力を検出し、ドライバーのブレーキ入力を追加するために制動力を付与することにより選択された駆動ギアに連動する、意図する方向の動きとは反対方向に車両の動きを制限することを特徴とする自動車用ブレーキ制御方法。
【請求項１４】
前記車両はブレーキを踏まれて止まるとき、選択されたギアと連動する、意図する方向の動きとは反対方向への車両動きを阻止するために制動力を付与し、
車両がブレーキを踏まれて止まった後、予め決められた制限時間の間、制動力を保証することを特徴とする請求項１３に記載の自動車用ブレーキ制御方法。
【請求項１５】
前記車両が、選択されたギアに連動する、意図する方向への動きとは反対方向に、予め決められた速度又は加速度の制限値を超えた速度又は加速度で移動するとき、制動力を付与することを特徴とする請求項１３又は１４に記載の方法。
【請求項１６】
前記請求項１から１２のいずれか１項に記載のシステム、又は、前記請求項１３から１５のいずれか１項に記載の方法を使用するように構成された車両。
【発明の詳細な説明】
【技術分野】
【０００１】
本発明は、自動車のためのブレーキ制御システムに関する。特に、限定はされないが、坂道での自動車の制御を容易にするためのブレーキ制御システムに関する。本発明の態様は、システム、方法、及び、自動車に関係する。
【背景技術】
【０００２】
坂道で自動車の制御を容易にするための多くのブレーキ制御システムがある。
【０００３】
ヨーロッパ特許０７８４５５１号公報には、ヒルディセントモード (Hill Descent mode)、特に、オフロード環境で使用する自動車のブレーキ制御システムが開示されている。ブレーキ制御システムは、自動車の各車輪のブレーキを制御するための電子制御ユニットとブレーキ制御システムとを備える。スイッチ形式のドライバーインターフェイスは、自動車のギアが入ったことが検出されたとき、制御ユニットをヒルディセントモードとするために使用される。このモードでは、制御ユニットは、検出された自動車のスピードが現在の目標スピードを超えているとき、自動車を低速とするためにブレーキによって意図する方向での自動車のスピードを制御する。
【０００４】
自動車がオフロードを走行するとき、坂道で停止することになるかもしれない。これに関連して、ヨーロッパ特許第１７７７１３３号公報には、ブレーキ制御手段がブレーキ命令手段（例えば、ブレーキペダル）の操作に従ってブレーキにより提供される制動力によって坂道で自動車が停止したときに検出するように配置されたブレーキ制御システムが開示されている。制動力の解除は、ブレーキを解除するためのブレーキ命令手段を操作する、急勾配の坂道での機能として制御される。
【０００５】
ヨーロッパ特許第１７７７１３３号公報のブレーキ制御システムは、意図した方向へと坂を下るために、静止状態からのスムーズな移動を補助するが、坂道でのモータの駆動に関する他の課題には対処していない。
【０００６】
自動車を運転するとき、坂道で停車した後、再び、上方向へと移動を再開することが必要となるかもしれない。例えば、前進ギアから後退ギアに切り替えることによって、坂を下る動作から坂を上る動作へと切り替えたり、あるいは、その逆の動作を行ったりすることが必要とされるときがあるかもしれない。急な坂道では、この動作は、一般には「坂道発進」と言われているが、経験の浅いドライバーにとって特に難しい操作となる。ドライバーが判断ミスする恐れがあり、それは、例えば、下り坂での車両の意図しない回転という形で、制御不能となり得る。
【先行技術文献】
【特許文献】
【０００７】
【特許文献１】ヨーロッパ特許０７８４５５１号公報
【特許文献２】ヨーロッパ特許第１７７７１３３号公報
【発明の概要】
【発明が解決しようとする課題】
【０００８】
前記問題を解決あるいは最小限とする、改良されたブレーキ制御システムを提供することが、本発明の目的である。本発明の他の目的及び利点は、後述する詳細な説明、特許請求の範囲、及び、図面によって明らかとなる。
【課題を解決するための手段】
【０００９】
本発明の態様は、貼付した特許請求の範囲に記載されるシステム、方法、及び、車両を提供する。
【００１０】
保護を求める本発明の他の態様では、複数の車輪と、１以上の車輪に制動力を作用させるためのブレーキと、車両の動きを検出するための検出手段と、意図する方向に車両を移動させる１以上の選択可能な駆動ギアと、を設けられ、制動力を付与するためにブレーキを駆動させるブレーキ制御手段を備え、前記ブレーキ制御手段は、選択された駆動ギアを検出し、かつ、前記駆動ギアが選択されるとき、ブレーキ駆動手段が制動力を作用させることを保証することにより、選択された駆動ギアに関する意図する方向への動きとは反対方向への車両の動きを制限するように配置された、自動車のためのブレーキ制御システムを提供する。
【００１１】
意図する方向への動きとは反対方向（すなわち、意図しない方向、主として下り方向）への車両の動きを制限することにより、本発明の第１実施形態に係るブレーキ制御システムは、車両全体の駆動制御、特に、坂道、例えば、オフロードでの運転で威力を発揮する。動きを制限することにより、動きを完全に阻止することが必要になるかもしれない。したがって、ブレーキ制御システムは、車両がドライバーによってブレーキをかけられて停車するとき、ブレーキ駆動手段が選択されたギアに連動する、意図する方向とは反対方向への車両の動きを打ち消す（理想としては妨げる）制動力を付与する。
【００１２】
このように、意図しない方向への動きは、通常、完全に阻止することが可能である。しかしながら、急な坂道では、ブレーキによって付与可能な最大の制動力であっても、動きを阻止するには十分でないかもしれないことが理解される。
【００１３】
前記システムは、ブレーキ駆動手段に連動する、ブレーキペダルと、ブレーキペダル位置検出センサとを備えていてもよい。一部の例では、ドライバーの入力は、ブレーキ制御手段が制動力を単にモニターする場合に、付加的な制動力のために必要なことを予め取り除く。したがって、ブレーキ制御手段は、適切な制動力がドライバーからの入力、例えば、ブレーキペダルによって、既に付与されているとき、供給される制動力に追加するだけであるのが好ましい。本発明では、制動力は、追加のドライバーの入力に必要とされるように供給される利点がある。制動力は、全ての車輪に付与されるのが好ましい。
【００１４】
ブレーキ制御手段は、車両がブレーキをかけられて停車した後の予め決められた制限時間で（例えば、０．５〜５秒、好ましくは、１〜３秒までに）、制動力を保証するように設けられている。ブレーキ制御手段は、（モニターされたアクセル／スロットルペダルの位置に基づいて）選択されたギアに付与される駆動トルクを検出し、かつ、付与された駆動トルクが予め決められたレベル以下であれば、予め決められた制限時間（例えば、０．５〜５秒、好ましくは、１〜３秒までに）を延長するために設けられている。予め決められたレベルは、いかなる制動力もなしに車両を停止状態に維持することが必要とされる駆動トルクのレベルに一致していればよく、検出された車両の傾き、又は、選択されたギアに基づいて、適宜、力学的に計算すればよい。
【００１５】
また、前記システムは、ハンドブレーキの状態に対応していればよく、そのために、ハンドブレーキと、ブレーキ制御手段に接続されるハンドブレーキ位置検出センサとを備え、それらに連動して動作すればよい。ブレーキ制御手段は、ハンドブレーキに対応して制動力を終了させるように設ければよい。同様に、付加的な安全のために、ブレーキ制御手段は、ドアの開放に対応して制動力を終了させるように設ければよい。ブレーキ制御手段は、単一の電子制御ユニットであってもよいし、あるいは、これに代えて、複数のユニット又はモジュールであってもよい。
【００１６】
ブレーキ制御手段は、車両が、選択されたギアに連動する、意図する方向への動きとは反対方向（すなわち、意図しない方向、一般的には坂道の下り方向）に、予め決められた制限速度を超えた速度で移動するとき、ブレーキ駆動手段が制動力を作用させることを保証するように、付加的に、あるいは、代わりに設ければよい。このように、意図しない方向への過度な動きを防止することができ、例えば、車両のエンストを防止することにより、ドライバーにとってより扱いやすくなる。５ｋｍ／ｈ以下に速度を制限することは、エンストを防止するのに好ましい。
【００１７】
同様な理由のため、ブレーキ制御手段は、車両が、選択されたギアに連動する、意図する方向への動きとは反対方向に、予め決められた加速度の制限を超えて加速して移動したとき、ブレーキ駆動手段が制動力を付与することを保証するように設けるようにしてもよい。１ｍｓ−２以下の加速度が好ましい。
【００１８】
便宜上、ブレーキ制御手段は、車両の傾きを決定するために設けるようにしてもよい。このため、前記システムは、ブレーキ制御手段に接続される傾斜センサを備えてもよいし、又、これに連動して動作するようにしてもよい。速度の制限、又は、加速度の制限は、検出された傾きとは逆の関係で、例えば、ルックアップ表に基づいて、力学的に決定されるのが都合がよい。
【００１９】
前記システムは、ドライバーのアクセル（又はスロットル）ペダルと、ブレーキ制御手段が、選択されたギアに対する駆動トルクを検出できるようにブレーキ制御手段に接続されたアクセルペダル位置検出センサとを備えてもよいし、あるいは、これらと連動して駆動してもよい。したがって、ブレーキ制御手段は、（モニターされたアクセルペダルの位置に基づいて）選択されたギアに対する駆動トルクを検出し、かつ、検出された駆動トルクが予め決められたレベルを超えているとき、ブレーキ駆動手段によって付与される制動力を解除するために設けられている。前記レベルは、どのような制動力もなく、車両が停止状態を維持するのに必要とされる駆動トルクのレベルに一致していればよいし、検出される車両の傾き、又は、選択されたギアに基づいて、随時、力学的に計算されてもよい。
【００２０】
ブレーキ制御システムは、駆動及び非駆動状態を有していてもよく、駆動及び非駆動状態の間で切り替えるためのユーザインターフェイスを備えていてもよい。安全性を高めるため、前記システムの駆動状態は車両エンジンの駆動状態から独立していてもよい。これにより、エンジンのエンストが前記システムを危険にさらすことがない。
【００２１】
ブレーキ制御手段によって保証される制動力は、車両の傾き、すなわち、車両が位置する坂道の傾斜に基づいて、付加的にあるいは代わりに決定するようにしてもよい。例えば、ブレーキ制御手段は、車両の傾きを検出し、かつ、（意図する、又は、意図しない）下り方向への車両の動きを制限するために、ブレーキ駆動手段に制動力を作用させるように設けられていてもよい。この意味で、制限は、前述の停止状態の維持、又は、速度内での動作の制限、又は、前述の加速度の制限に言及してもよい。
【００２２】
前記ブレーキ制御システムは、ヨーロッパ特許第０７８４５５１号公報、又は、ヨーロッパ特許第１７７１３３Ａ１公報等の、他のブレーキ制御手段に一体化されてもよいし、これらに関連した機能を有していてもよい。
【００２３】
保護を求める本発明の他の態様は、自動車のブレーキを制御する方法であって、車両を、関連した意図する方向へと移動させ、（必要であれば）ドライバーのブレーキ入力を検出し、ドライバーのブレーキ入力を追加するために、制動力を付与することにより選択された駆動ギアに連動する意図する方向の動きとは反対方向への車両の動きを制限する方法である。
【００２４】
保護を求める本発明のさらに他の態様は、本発明の第１態様に係るブレーキ制御システムを備えた自動車である。
【００２５】
本出願の範囲内で、前述の段落、又は、後述する明細書及び図面に記載された、種々の態様、実施例、特徴、例、及び、代替物は、独立していてもよいし、どのように組み合わされてもよい。
【００２６】
本発明の一態様について記載された特徴及び利点は、特徴の矛盾があるものを除いて、変更すべきところは変更して、本発明のいずれの他の態様にも適用される。
【図面の簡単な説明】
【００２７】
【図１】本発明の第１形式を具現化した自動車のためのブレーキ制御システムの斜視図である。
【図２】図１のブレーキ制御システムの動作を要約したフローチャートである。
【図３】一例としての図１及び図２ブレーキ制御システムの動作を図示する時系列プロットのグラフである。
【発明を実施するための形態】
【００２８】
図１において、点線で囲まれた、本発明の第１実施形態に係る、ヒルディセントモードを有するブレーキ制御システムを備えた自動車１０が示されている。
【００２９】
ヒルディセントモードが動作しているとき、ブレーキ制御システムは、本発明の目的のために駆動状態となっている。一方、ヒルディセントモードが動作していないとき、ブレーキ制御システムは本発明の目的のために駆動していない。ブレーキ制御システムは、付加的に、ヨーロッパ特許第０７８４５５１やヨーロッパ特許第１７７７１３３号公報等の発明とは関係しない他のブレーキ機能を発揮するようにしてもよい。
【００３０】
ブレーキ制御システムは、従来と同様な手法で、４つの車輪１４のそれぞれにディスクブレーキ１１を備えたブレーキ配列を備える。各ディスクブレーキ１１は、ブレーキ駆動手段として機能する液圧制御（ＨＣ）ユニット１４によって液圧ライン１３を介して液圧駆動する。前記ＨＣユニット１４は、ブレーキ制御手段として機能する電子制御（ＥＣ）ユニット１５によって制御される。図１は、本発明に合致するブレーキ制御システムの最も重要な機能部品の単なる略図である。前記ブレーキ制御システムの詳細は、ヨーロッパ特許第０７８４５５１号公報に記載され、参考として明細書に含まれているので、これ以上は記載しない。
【００３１】
ＥＣユニット１５は、検出手段すなわち車両速度センサ１６から車両速度信号を受信し、各車輪１２の車輪速度センサ１７から個々の車輪速度信号を受信し、アクセルペダル位置検出センサ１９を一体化したアクセル（又はスロットル）ペダル１８からドライバー命令信号を受信する。また、ＥＣユニット１５は、ドライバーのヒル制御スイッチ２０からヒルディセント信号を受信し、駆動ギアセンサ２１からギア信号を受信し、傾斜検出手段、ここでの例では傾斜計２２から傾斜角度信号を受信する。ＥＣユニット１５は、ブレーキペダル２４のブレーキ光スイッチ９からペダルブレーキ信号を受信する。
【００３２】
また、ブレーキペダル２４は、ＨＣユニット１４の一部を形成するブレーキ圧力センサ２３に接続されるマスターシリンダ８に連動する。ブレーキ圧力センサ２３は、ＥＣユニット１５にドライバーブレーキ信号を送信するために設けられている。
【００３３】
ＥＣユニット１５は、ヒル制御スイッチ２０がヒルディセントモードを選択するためにドライバーによってスイッチが切り替えられるときはいつでも、ＨＣユニット１４を制御するために駆動する。ＥＣユニットは、ブレーキ及びアクセルペダル２４、１８から動作信号に連動して（すなわち、追加して）駆動可能である。
【００３４】
自動車を運転しているとき、坂道で停止し、再び上り方向へと移動を再開することが必要とされるかもしれない。これにより、例えば、前進ギアから後退ギアに切り替えることにより下方移動から上方移動、あるいは、その逆へと駆動方向を変更することが必要とされるときがあるかもしれない。特に、この操作は、急な坂道では、一般に「坂道発進」と言われるが、経験の浅いドライバーが行うのは困難である。
【００３５】
「坂道発進」の操作でドライバーを助け、車両を制御するため、ヒルディセントモードが実行されると、ＥＣユニット１５が、まず、ギアセンサ２１により選択された駆動ギアを検出し、意図する運動方向（すなわち、前方又は後方）を決定するように設定（配置）されている。ギアが選択されれば、次いでＥＣユニット１５は、ＨＣユニット１４が制動力を付与することを保証することにより選択された駆動ギアに連動する、意図する方向の動きとは反対方向（すなわち、意図しない方向、一般には下り方向）への車両の移動を制限する。
【００３６】
特に、図２において、ＥＣユニット１５は、車両速度センサ１６及びブレーキ圧力センサ２３を利用して車両の動作状態をモニターし、次のように車両の動きを制限するように構成されている。
【００３７】
ｉ）車両がブレーキを踏まれて止まれば、意図しない方向への動きが予め決められた時間で阻止される。そして、
ｉｉ）車両が意図しない方向に移動していれば、車両の移動速度及び加速度は予め決められた限度で制限される。
【００３８】
前記ブレーキ制御システムの操作モードは図２のフローチャートに従ってさらに詳細に記載される。
【００３９】
フローチャートの左側に図示された第１操作モードに入るのは、ＥＣユニット１５が、車両速度センサ１６とブレーキ圧力センサ２３から、車両がブレーキを踏まれて止まることが決定されるときである。そのとき、ＥＣユニット１５は、ギアセンサ２１の補助によって既に決定されている、意図する方向への移動が上りであるか否かを、傾斜計２２で確認する。
【００４０】
意図する方向の移動が上りであれば、ＥＣユニット１５は、それ以上駆動せず、車両の動作状態のモニターへと復帰する。前述のように、ヨーロッパ特許第０７８４５５１号公報又はヨーロッパ特許第１７７７１３３号公報等に記載されるような他のヒルディセントの特徴は、そのうちに実施されるかもしれない。
【００４１】
一方、意図する方向の移動が下りであれば、ＥＣユニット１５はアクセルペダル位置検出センサ１９に基づいて、ドライバーが予め決められたレベル以上に駆動トルクを付与しているか否かをモニターし続ける。予め決められたレベルが力学的に決定され、それは、ブレーキの利用なしに、選択されたギアで車両を停止状態に保持することが要求される駆動トルクにほぼ近い値を示す。
【００４２】
選択されたギアによって付与される駆動トルクが予め決められたレベルを超えることが分かれば、ＥＣユニット１５は位置を維持するか、あるいは、駆動トルクのみによって移動することが想定される。そして、ＥＣユニット１５は、それ移動動作せず、車両の動作状態のモニタ−に復帰する。
【００４３】
一方、選択されたギアによって付与される駆動トルクが予め決められたレベル以下であると分かれば、ＥＣユニット１５は付与された駆動トルクをモニターし続け、同時に十分な制動力が車両を停止状態に保持するために付与されているか否かを確認する。付与された制動力が不十分（僅か）であれば、ＥＣユニット１５はＨＣユニット１４に必須の付加的な制動力を付与し、それは予め決められた制限時間、例えば、２秒間保持される。制限時間が経過すると、ＥＣユニット１５によって生成された制動力は解除される（すなわち、一般的には無効となる）。
【００４４】
（図２に点線で部分的に示す）変形例では、制限時間が経過すれば、制動力を解除する代わりに、ＥＣユニットは、トルクが付与されるか否かをモニターするために切り替えられ、付与された駆動トルクが予め決められた最小値を超えるが、予め決められた制限値以下を維持するならば、予め決められた制限時間を、例えば、さらに３秒まで延長する。この変形例では、ＥＣユニット１５によって生成される制動力は、一旦、選択されたギアによって付与された駆動トルクが予め決められたレベルを超えるか、あるいは、予め決められた最小値以下となれば、解除される。
【００４５】
第１操作モードでＥＣユニット１５によって付与された制動力は、ハンドブレーキ（図示せず）によっていつでも無効にされ、その場合、ＥＣユニット１５によって生成される制動力は解除される。同時に、付加的な安全のために、第１操作モードはドアの開放によって無効とされ、ＥＣユニットはドアセンサ（図示せず）によって検出する。
【００４６】
図２のフローチャートの右側に図示される第２操作モードに入るのは、ＥＣユニットが車両速度センサ１６から車両が意図しない方向に移動していると決定するときである。一般に、そのような動作が起こるのは、車両が坂道を下っているとき、例えば、ブレーキが第１操作モードで解放されたり、あるいは、ドライバーがブレーキペダルを使用せずに上方移動中に駆動トルクを除去又は抑制されたりした（すなわち、停止するためにブレーキが踏まれていない）場合である。
【００４７】
第２操作モードでは、ＥＣユニット１５は、車両が予め決められた制限値を超える、ある速度又は加速度で意図しない方向へと移動しているか否かを連続して確認する。速度又は加速度（あるいはその両方）が予め決められた制限値を超えていれば、ＥＣユニット１５はＨＣユニット１４に、速度又は加速度を予め決められた制限値内とするために適切な制動力を付与して維持するように命令を送信する。
【００４８】
第２操作モードは、車両が意図しない方向に移動するのを停止するときに終了する。
【００４９】
図３は、ブレーキ制御システムの第１操作モードを図示する時系列プロットを示す。これらのプロットでは、時間（ｔ）に対してプロットされた種々の値が示されており、ライン「圧力」は車輪での液圧ブレーキの圧力を示し、ライン「速度」は車両速度を示し、ライン「BLS pressed」はブレーキ圧力センサ２３によって測定されるドライバーのブレーキ結果を示し、ライン「Throttle pressed」は、加速ペダル位置検出センサ１９によって検出されるドライバーの加速度結果を示す。
【００５０】
図３は、（１）でドライバーが自動車を上り坂で運転し、（２）で停止させるためにブレーキをかけ始めたシナリオを図示する。ドライバーは坂道で車両を停止させるために、ブレーキペダルを踏み続ける。（３）で、ドライバーはブレーキペダルを離す。ブレーキ制御システムは、車両を坂道で停止させるために十分な制動力に制御されて維持される（制動力を制御するシステムは、図面では点線で追加されている。）。（４）では、ドライバーがブレーキを離し始め、ブレーキ制御システムが、十分にドライバーの制御下（５）になるまで、その維持された圧力を低下させる。
【００５１】
さらに、以下の操作例は、本発明の第１実施形態を説明するために提供されている。
【００５２】
・坂道での車両の停止では、ドライバーがブレーキペダルを踏んでおり、その後、坂道発進で上り続ける。車両は前進ギアで上り坂を移動し、後退ギアで下り坂を移動する。ドライバーがブレーキペダルを離し、スロットルペダルに足を移動させる。ブレーキ制御システムは、ドライバーが足をブレーキからスロットルペダルに移動させるときには静止状態を維持する。ドライバーがスロットルペダルに十分な力を付与すると上ることが可能となり、車両は前進する。ブレーキ制御システムは駆動トルクを増大させ、保持期間を終了させて、ブレーキ圧を解放し、車両を後退させることなく坂道発進を可能とする。
【００５３】
・車両の坂道の上りでは、ドライバーがブレーキを使用することなく停止している。車両は、前進ギアで前進して、あるいは、後退ギアで後退して、坂道を上りへと駆動されている。ドライバーはスロットルペダルを離し、他のどのペダルにも力を付与したり、あるいは、制御したりしない。車両は停止し（クリープトルクは車両を動作状態に維持するのには十分でない）、直ぐに選択されたギアに反して坂道を後退し始める。車両速度は５ｋｍ／ｈに制限され、ドライバーがスロットルやブレーキに力を付与する機会のある、２０〜３０秒間でこの速度を超えるが、加速度０ｍｓ−２に制限される。
【００５４】
・坂道での車両の停止では、ドライバーはブレーキペダルを踏んだ状態を維持し、その後、全てのペダルを離す。車両は前進ギアで上り、後退ギアで下る。ドライバーがブレーキペダルを使用することにより坂道に留まる。ドライバーは、足をブレーキペダルから離すが、スロットルペダルには接近させない。ブレーキ制御システムは、圧力が減少し、車両が坂道を転がり降り始める２秒間、車両を停止状態に保持する。車両速度は５ｋｍ／ｈに制限され、ドライバーがスロットルやブレーキに力を付与する機会のある、２０〜３０秒間でこの速度を超えるが加速度０ｍｓ−２に制限される。
【００５５】
・車両は坂道で停止し、ドライバーはブレーキペダルを踏み続け、ブレーキ制御システムは駆動する。車両は前進ギアで上り、後退ギアで下る。そして、ドライバーがブレーキペダルを離し、車両がブレーキ制御システムによって保持される。その後、ドライバーはギア位置をニュートラルに変更する。ブレーキ制御システムは、保持圧を解放（減少）させる。
【００５６】
・車両が坂道で停止し、ドライバーがブレーキペダルを踏むと、ブレーキ制御システムは駆動する。車両は上下動する。そして、ドライバーがブレーキペダルを解放し、車両がブレーキ制御システムによって保持される。ブレーキ制御システムが駆動している間に、ドライバーはハンドブレーキを動作させる。ブレーキ制御システムは保持圧を解放（減少）させる。
【符号の説明】
【００５７】
９…ブレーキ光スイッチ
１０…自動車
１１…ディスクブレーキ
１３…液圧ライン
１４…液圧制御ユニット（ＨＣユニット）
１５…電子制御ユニット（ＥＣユニット）
１６…車両速度センサ
１７…車輪速度センサ
１８…アクセルペダル
２０…ヒル制御スイッチ
２１…駆動ギアセンサ
２２…傾斜計
２３…ブレーキ圧力センサ
２４…ブレーキペダル
【図１】
2013537144.tif 000003
【図２】
2013537144.tif 000004
【図３】
2013537144.tif 000005
【手続補正書】
【提出日】平成25年3月29日(2013.3.29)
【手続補正１】
【補正対象書類名】明細書
【補正対象項目名】００１０
【補正方法】変更
【補正の内容】
【００１０】
保護を求める本発明の他の態様では、複数の車輪と、１以上の車輪に制動力を作用させるためのブレーキと、車両の動きを検出するための検出手段と、意図する方向に車両を移動させる１以上の選択可能な駆動ギアと、を設けられ、制動力を付与するためにブレーキを駆動させるブレーキ制御手段を備え、前記ブレーキ制御手段は、選択された駆動ギアを検出し、かつ、前記駆動ギアが選択されるとき、ブレーキ駆動手段が制動力を作用させることを保証することにより、選択された駆動ギアに関する意図する方向への動きとは反対方向への車両の動きを制限するように配置された、自動車のためのブレーキ制御システムを提供する。前記ブレーキ制御手段は、ドライバーによってブレーキをかけられて停車するとき、ブレーキ駆動手段が選択されたギアに連動する、意図する方向への動きとは反対方向への車両の動きを打ち消す（理想としては妨げる）制動力を付与する。ブレーキ制御手段は、ブレーキをかけられて停車した後、予め決められた制限時間で（例えば、０．５〜５秒、好ましくは、１〜３秒までに）制動力を保証するように設ければよい。
【手続補正２】
【補正対象書類名】明細書
【補正対象項目名】００１１
【補正方法】変更
【補正の内容】
【００１１】
意図する方向への動きとは反対方向（すなわち、意図しない方向、主として下り方向）への車両の動きを制限することにより、本発明の第１実施形態に係るブレーキ制御システムは、車両全体の駆動制御、特に、坂道、例えば、オフロードでの運転で威力を発揮する。
【手続補正３】
【補正対象書類名】明細書
【補正対象項目名】００１４
【補正方法】変更
【補正の内容】
【００１４】
ブレーキ制御手段は、（モニターされたアクセル／スロットルペダルの位置に基づいて）選択されたギアに付与される駆動トルクを検出し、かつ、付与された駆動トルクが予め決められたレベル以下であれば、予め決められた制限時間（例えば、０．５〜５秒、好ましくは、１〜３秒までに）を延長するために設けられている。予め決められたレベルは、いかなる制動力もなしに車両を停止状態に維持することが必要とされる駆動トルクのレベルに一致していればよく、検出された車両の傾き、又は、選択されたギアに基づいて、適宜、力学的に計算すればよい。
【手続補正４】
【補正対象書類名】明細書
【補正対象項目名】００２３
【補正方法】変更
【補正の内容】
【００２３】
保護を求める本発明の他の態様は、自動車のブレーキを制御する方法であって、車両を、関連した意図する方向へと移動させ、（必要であれば）ドライバーのブレーキ入力を検出し、ドライバーのブレーキ入力を追加するために、制動力を付与することにより選択された駆動ギアに連動する意図する方向の動きとは反対方向への車両の動きを制限する方法である。前記方法は、さらに、車両がブレーキを踏まれて止まるとき、選択されたギアに関連して意図する方向の動きとは反対方向への車両の動きを阻止するために制動力を付与するものである。前記方法は、さらに、車両がブレーキを踏まれて止まった後、予め決められた制限時間の間、制動力を保証するものである。
【手続補正５】
【補正対象書類名】特許請求の範囲
【補正対象項目名】全文
【補正方法】変更
【補正の内容】
【特許請求の範囲】
【請求項１】
１以上の車輪に制動力を付与するための、多数の車輪を有する自動車のためのブレーキ制御システムであって、車両の動きを検出するための検出手段と、車両の意図する方向への動きにそれぞれ連動する１以上の選択可能なギアと、制動力を付与するためにブレーキを駆動するブレーキ制御手段と、を備え、
前記ブレーキ制御手段は、選択された駆動ギアを検出し、制動力を付与することを保証することにより選択された駆動ギアに連動する、意図する方向への動きとは反対方向への車両の動きを制限するように設けられ、
前記ブレーキ制御手段は、車両がブレーキをかけられて停止するとき、ブレーキ駆動手段が、選択されたギアと連動する、意図する方向とは反対方向に車両が移動することを阻止する制動力の付与を保証するように設けられ、
前記ブレーキ制御手段は、車両がブレーキをかけられて停止した後、予め決められた制限時間の間、制動力を保証するように設けられることを特徴とするブレーキ制御システム。
【請求項２】
前記ブレーキ制御手段は、付与される駆動トルクが予め決められたレベル以下であれば、選択されたギアによって駆動トルクを検出し、予め決められた制限時間を延長するように設けられていることを特徴とする請求項１に記載のブレーキ制御システム。
【請求項３】
前記ブレーキ制御手段は、ハンドブレーキが使用されているとき、又は、ドアが開放されているとき、制動力を終了するように設けられていることを特徴とする請求項１に記載のブレーキ制御システム。
【請求項４】
前記ブレーキ制御手段は、車両が選択したギアと連動する、意図する方向の動きとは反対方向に、予め決められた制限速度を超える速度で移動するとき、制動力を付与することを保証するように設けられていることを特徴とする請求項１から３のいずれか１項に記載のブレーキ制御システム。
【請求項５】
前記ブレーキ制御手段は、車両が選択されたギアと連動する、意図する方向への動きとは反対方向に、予め決められた加速度で移動するとき、制動力を付与することを保証するように設けられていることを特徴とする請求項１から４のいずれか１項に記載のブレーキ制御システム。
【請求項６】
前記ブレーキ制御手段は、車両の傾斜を検出するように設けられ、速度制限又は加速度制限は、選択された傾斜と逆関係となるように、力学的に予め決められていることを特徴とする請求項４又は５に記載のブレーキ制御システム。
【請求項７】
前記ブレーキ制御手段は、選択されたギアによって駆動トルクを検出し、検出された駆動トルクが予め決められたレベルを超えるとき、ブレーキ駆動手段によって付与される制動力を解放するように設けられていることを特徴とする請求項１から６のいずれか１項に記載のブレーキ制御システム。
【請求項８】
駆動及び非駆動状態を有することを特徴とする請求項１から７のいずれか１項に記載のブレーキ制御システム。
【請求項９】
前記駆動状態は、車両の駆動エンジンの駆動状態から独立していることを特徴とする請求項８に記載のブレーキ制御システム。
【請求項１０】
前記ブレーキ制御手段は、車両の傾きを検出し、ブレーキ駆動手段により、下り方向の車両の動きを制限するように制動力を付与するように設けられていることを特徴とする請求項１から９のいずれか１項に記載のブレーキ制御システム。
【請求項１１】
意図する方向への車両の動きに連動する、選択された駆動ギアを検出し、ドライバーのブレーキ入力を検出し、ドライバーのブレーキ入力を追加するために制動力を付与することにより選択された駆動ギアに連動する、意図する方向の動きとは反対方向に車両の動きを制限し、
前記車両はブレーキを踏まれて止まるとき、選択されたギアと連動する、意図する方向の動きとは反対方向への車両動きを阻止するために制動力を付与し、
車両がブレーキを踏まれて止まった後、予め決められた制限時間の間、制動力を保証することを特徴とする自動車用ブレーキ制御方法。
【請求項１２】
前記車両が、選択されたギアに連動する、意図する方向への動きとは反対方向に、予め決められた速度又は加速度の制限値を超えた速度又は加速度で移動するとき、制動力を付与することを特徴とする請求項１１に記載の方法。
【請求項１３】
前記請求項１から１０のいずれか１項に記載のシステム、又は、前記請求項１１又は１２に記載の方法を使用するように構成された車両。
【国際調査報告】
2013537144.tif 000006
2013537144.tif 000007
2013537144.tif 000008